(57)【要約】      （修正有）【課題】連結部の幅を変化しないようにすることにより、伝送されている電子信号の反射又は減衰を減少でき、チップの電子信号に対する判断の精確度を増加できるコネクタを提供する。【解決手段】互いに平行するように設けられる複数本の伝送端子２１と、これらの前記伝送端子の間に設けられ、これらの前記伝送端子を固定する絶縁台座２２と、を含み、前記伝送端子は、第１端部２１１と、第２端部２１２と、前記第１端部と前記第２端部を連結し、何れかの箇所での幅が同じである同じ幅連結部と、を有し、前記第１端部と前記第２端部とは、前記絶縁台座から伸び出す。【選択図】図３
0003168704.tif 000002
【実用新案登録請求の範囲】
【請求項１】
互いに平行するように設けられる複数本の伝送端子と、
これらの前記伝送端子の間に設けられ、これらの前記伝送端子を固定する絶縁台座と、  を含み、
前記伝送端子は、
第１端部と、
第２端部と、
前記第１端部と前記第２端部を連結し、何れかの箇所での幅が同じである同じ幅連結部と、
を有し、
前記第１端部と前記第２端部とは、前記絶縁台座から伸び出すことを特徴とするコネクタ。
【請求項２】
前記各伝送端子の前記同じ幅連結部は、更に、垂直湾曲セクションを有し、前記垂直湾曲セクションは、一端が水平セクションであり、他端が垂直セクションであることを特徴とする、請求項１に記載のコネクタ。
【請求項３】
前記絶縁台座は、
これらの前記伝送端子の前記水平セクションの間に設けられる第１子台座と、
これらの前記伝送端子の前記垂直セクションの間に設けられる第２子台座と、
を含むことを特徴とする、請求項２に記載のコネクタ。
【考案の詳細な説明】
【技術分野】
【０００１】
本考案は、コネクタに関し、特に、何れかの箇所での幅が同じである同じ幅連結部を有するコネクタに関するものである。
【背景技術】
【０００２】
図１及び図２を参照する。図１は従来のコネクタを示す斜視図であり、図２は従来のコネクタを示す分解斜視図である。従来のコネクタ１００は、複数の伝送端子１１と、絶縁台座１２と、を含む。
【０００３】
各伝送端子１１は、入力端部１１１と、出力端部１１２と、入力端部１１１と出力端部１１２との間に設けられて入力端部１１１と出力端部１１２を連接する連接部１１３と、を有する。連接部１１３の幅は、伝送端子１１の湾曲の需要に応じて変化する。
【０００４】
一方、絶縁台座１２は、これらの伝送端子１１の間に設けられ、各伝送端子１１が電気的に連接しない状態を保持するためのものである。
【０００５】
しかしながら、連接部１１３の幅が変化するため、電子信号を伝送しているときには、電子信号が反射され、又は減衰され易く、ひいてはチップが電子信号を誤判断し易い。これにより、伝送されている電子信号を判断する精確度が降下する問題があった。
【考案の概要】
【考案が解決しようとする課題】
【０００６】
本考案の主な目的は、連結部の幅を変化しないようにすることにより、伝送されている電子信号の反射又は減衰を減少できるコネクタを提供することにある。
【課題を解決するための手段】
【０００７】
本考案のコネクタによると、互いに平行するように設けられる複数本の伝送端子と、
これらの前記伝送端子の間に設けられ、これらの前記伝送端子を固定する絶縁台座と、  を含み、
前記伝送端子は、
第１端部と、
第２端部と、
前記第１端部と前記第２端部を連結し、何れかの箇所での幅が同じである同じ幅連結部と、
を有し、
前記第１端部と前記第２端部とは、前記絶縁台座から伸び出すことを特徴とする。
【０００８】
本考案のコネクタによると、前記各伝送端子の前記同じ幅連結部は、更に、垂直湾曲セクションを有し、前記垂直湾曲セクションは、一端が水平セクションであり、他端が垂直セクションであることを特徴とする。
【０００９】
本考案のコネクタによると、前記絶縁台座は、
これらの前記伝送端子の前記水平セクションの間に設けられる第１子台座と、
これらの前記伝送端子の前記垂直セクションの間に設けられる第２子台座と、
を含むことを特徴とする。
【考案の効果】
【００１０】
本考案のコネクタによれば、連結部の幅を変化しないようにすることにより、伝送されている電子信号の反射又は減衰を減少でき、チップの電子信号に対する判断の精確度を増加できるという効果を有する。
【図面の簡単な説明】
【００１１】
【図１】従来のコネクタを示す斜視図である。
【図２】従来のコネクタを示す分解斜視図である。
【図３】本考案のコネクタを示す斜視図である。
【図４】本考案のコネクタを示す分解斜視図である。
【考案を実施するための形態】
【００１２】
以下、本考案の実施の形態を図面に基づいて説明する。
まず、図３及び図４を参照する。図３は本考案のコネクタを示す斜視図であり、図４は本考案のコネクタを示す分解斜視図である。本考案のコネクタ２００は、互いに平行するように設けられる複数本の伝送端子２１と、絶縁台座２２と、を含む。各伝送端子２１は、第１端部２１１と、第２端部２１２と、第１端部２１１と第２端部２１２を連結する同じ幅連結部２１３と、を有する。同じ幅連結部２１３は何れかの箇所での幅が同じである。
【００１３】
絶縁台座２２は、これらの伝送端子２１の間に設けられ、これらの伝送端子２１を固定する。第１端部２１１と第２端部２１２とは、絶縁台座２２から伸び出す。
【００１４】
本考案の実施例では、各伝送端子２１の同じ幅連結部２１３は、更に、垂直湾曲セクション２１３１を有し、垂直湾曲セクション２１３１は、一端が水平セクション２１３２であり、他端が垂直セクション２１３３である。また、絶縁台座２２は、更に、第１子台座２２１と、第２子台座２２２と、を含む。第１子台座２２１は、これらの伝送端子２１の水平セクション２１３２の間に設けられる。第２子台座２２２は、これらの伝送端子２１の垂直セクション２１３３の間に設けられる。
【００１５】
もちろん、絶縁台座２２を作製するときには、絶縁台座２２が一組だけの伝送端子２１を覆うことではなく、例えば図３及び図４に示すように、絶縁台座２２は、複数本の伝送端子２１を覆う他、異なる形状を呈する三組の伝送端子を覆う。しかし、伝送端子の同じ幅連結部の幅を変化しないようにすることにより、伝送されている電子信号の反射又は減衰を減少でき、ひいてはチップの電子信号に対する判断の精確度を増加できる。
【００１６】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１７】
本考案は、コネクタに適用することができる。
【符号の説明】
【００１８】
１１            伝送端子
１２            絶縁台座
２１            伝送端子
２２            絶縁台座
１００            コネクタ
１１１            入力端部
１１２            出力端部
１１３            連接部
２００            コネクタ
２１１            第１端部
２１２            第２端部
２１３            同じ幅連結部
２２１            第１子台座
２２２            第２子台座
２１３１          垂直湾曲セクション
２１３２          水平セクション
２１３３          垂直セクション
【図１】
0003168704.tif 000003
【図２】
0003168704.tif 000004
【図３】
0003168704.tif 000005
【図４】
0003168704.tif 000006